(57)【要約】【課題】開封性を向上できる易開封袋を提供する。【解決手段】基材層３１の内面側に熱接着性樹脂層３４を配した積層体３０により形成され、周縁に積層体３０を熱接着した周縁シール部１０を有する易開封袋１において、周縁シール部１０の左右端の所定箇所に左右方向に延びた複数の線状の切込み２５から成る傷痕群２０を設け、傷痕群２０が周縁シール部１０の外縁１０ａから内縁１０ｂに向かって先細り状に形成されるとともに、外縁１０ａ上から延びる複数の切込み２５を上下に並設した第１段２１と、上下に並設される複数の切込み２５を第１段２１よりも内縁１０ｂ側に配して第１段２１よりも上下方向の幅の狭い第２段２２とを有し、第１段２１の切込み２５の左右方向の長さＬ１が第２段２２の切込み２５の左右方向の長さＬ２よりも長い。【選択図】図３
2018087028.tif 000002
【特許請求の範囲】
【請求項１】
基材層の内面側に熱接着性樹脂層を配した積層体により形成され、周縁に前記積層体を熱接着した周縁シール部を有する易開封袋において、前記周縁シール部の左右端の所定箇所に左右方向に延びた複数の線状の切込みから成る傷痕群を設け、前記傷痕群が前記周縁シール部の外縁から内縁に向かって先細り状に形成されるとともに、前記外縁上から延びる複数の前記切込みを上下に並設した第１段と、上下に並設される複数の前記切込みを前記第１段よりも前記内縁側に配した第２段とを有し、前記第１段の前記切込みの左右方向の長さが前記第２段の前記切込みの左右方向の長さよりも長いことを特徴とする易開封袋。
【請求項２】
前記傷痕群が、一または上下に並設される複数の前記切込みを前記第２段よりも前記内縁側に配した第３段を有することを特徴とする請求項１に記載の易開封袋。
【請求項３】
前記第２段の前記切込みの左右方向の長さが前記第３段の前記切込みの左右方向の長さ以上であることを特徴とする請求項２に記載の易開封袋。
【請求項４】
前記第１段の前記切込みの左右方向の長さが０．５ｍｍ以上であることを特徴とする請求項１〜請求項３のいずれかに記載の易開封袋。
【請求項５】
前記第１段の前記切込みと前記第２段の前記切込みとが異なる高さに配され、前記第１段の前記切込みの内端と前記第２段の前記切込みの外端とが前記内縁に平行な同一直線上に配されることを特徴とする請求項１〜請求項４のいずれかに記載の易開封袋。
【請求項６】
前記第１段の前記切込みと前記第２段の前記切込みとが異なる高さに配され、前記第１段の前記切込みの内端が前記第２段の前記切込みの外端よりも内側に配されることを特徴とする請求項１〜請求項４のいずれかに記載の易開封袋。
【請求項７】
請求項１〜請求項６のいずれかに記載の複数の易開封袋を積み重ね、両端を連結部により連結した環状の帯部材により束ねた易開封袋の梱包体において、前記連結部が対向する前記周縁シール部の間に配置され、前記帯部材が前記傷痕群に対して上下方向に離れて配置されることを特徴とする易開封袋の梱包体。
【発明の詳細な説明】
【技術分野】
【０００１】
本発明は、容易に引き裂きを開始できる易開封袋及びその梱包体に関する。
【背景技術】
【０００２】
従来の易開封袋は特許文献１に開示されている。この易開封袋は上端に開口部を有する三方シール袋から成り、熱接着樹脂層を内面に有した積層体の周縁を周縁シール部により熱接着して形成される。左右端の周縁シール部の所定箇所には傷痕群が設けられる。傷痕群は円形または線状の複数の突き刺し孔により形成され、周縁シール部の外縁から内縁に向かって先細り状になっている。
【０００３】
易開封袋は上端の開口部から内容物を充填された後に開口部を熱接着して密封される。内容物を密閉した易開封袋は左右方向に引き裂かれて開封される。この時、周縁シール部内で傷痕群上の引き裂き強度が弱いため、傷痕群を配した所定の位置から易開封袋を開封することができる。
【先行技術文献】
【特許文献】
【０００４】
【特許文献１】特開平１０−１１９９８４号公報（第２頁〜第３頁、第３図）
【発明の概要】
【発明が解決しようとする課題】
【０００５】
しかしながら、上記従来の易開封袋によると、高齢者等が傷痕群を容易に視認できないため、傷痕群から離れた位置を摘持して開封を開始する場合がある。この時、周縁シール部の外縁上で前後に引き裂く力が分散して傷痕群に加わる力が小さくなり、傷痕群から容易に開封を開始できない問題があった。このため、より小さい力で容易に開封できる易開封袋が望まれている。
【０００６】
本発明は、容易に開封できる易開封袋及びその梱包体を提供することを目的とする。
【課題を解決するための手段】
【０００７】
上記目的を達成するために本発明は、基材層の内面側に熱接着性樹脂層を配した積層体により形成され、周縁に前記積層体を熱接着した周縁シール部を有する易開封袋において、前記周縁シール部の左右端の所定箇所に左右方向に延びた複数の線状の切込みから成る傷痕群を設け、前記傷痕群が前記周縁シール部の外縁から内縁に向かって先細り状に形成されるとともに、前記外縁上から延びる複数の前記切込みを上下に並設した第１段と、上下に並設される複数の前記切込みを前記第１段よりも前記内縁側に配した第２段とを有し、前記第１段の前記切込みの左右方向の長さが前記第２段の前記切込みの左右方向の長さよりも長いことを特徴としている。
【０００８】
また本発明は上記構成の易開封袋において、前記傷痕群が、一または上下に並設される複数の前記切込みを前記第２段よりも前記内縁側に配した第３段を有することを特徴としている。
【０００９】
また本発明は上記構成の易開封袋において、前記第２段の前記切込みの左右方向の長さが前記第３段の前記切込みの左右方向の長さ以上であることを特徴としている。
【００１０】
また本発明は上記構成の易開封袋において、前記第１段の前記切込みの左右方向の長さが０．５ｍｍ以上であることを特徴としている。
【００１１】
また本発明は上記構成の易開封袋において、前記第１段の前記切込みと前記第２段の前記切込みとが異なる高さに配され、前記第１段の前記切込みの内端と前記第２段の前記切込みの外端とが前記内縁に平行な同一直線上に配されることを特徴としている。
【００１２】
また本発明は上記構成の易開封袋において、前記第１段の前記切込みと前記第２段の前記切込みとが異なる高さに配され、前記第１段の前記切込みの内端が前記第２段の前記切込みの外端よりも内側に配されることを特徴としている。
【００１３】
また本発明は、上記各構成の複数の易開封袋を積み重ね、両端を連結部により連結した環状の帯部材により束ねた易開封袋の梱包体において、前記連結部が対向する前記周縁シール部の間に配置され、前記帯部材が前記傷痕群に対して上下方向に離れて配置されることを特徴としている。
【発明の効果】
【００１４】
本発明によると、複数の線状の切込みから成る先細り状の傷痕群が、周縁シール部の外縁から延びる第１段と、第１段よりも周縁シール部の内縁側に配した第２段とを有する。また、第１段の切込みの左右方向の長さが第２段の切込みの左右方向の長さよりも長く形成される。これにより、易開封袋を小さい力で容易に開封することができる。
【００１５】
また本発明の易開封袋の梱包体によると、複数の易開封袋を積み重ねて帯部材により束ね、対向する周縁シール間に帯部材の連結部が配され、帯部材が傷痕群に対して上下方向に離れて配される。これにより、連結部の連結により易開封袋を容易に束ねることができるとともに、帯部材と傷痕群との摺動による易開封袋の破袋を防止することができる。
【図面の簡単な説明】
【００１６】
【図１】本発明の第１実施形態の易開封袋を示す正面図
【図２】本発明の第１実施形態の易開封袋の積層体を示す断面図
【図３】本発明の第１実施形態の易開封袋の傷痕群を示す正面図
【図４】本発明の第１実施形態の易開封袋の梱包体を示す斜視図
【図５】本発明の第２実施形態の易開封袋を示す正面図
【図６】本発明の第２実施形態の易開封袋の積層体を示す断面図
【図７】本発明の第３実施形態の易開封袋の傷痕群を示す正面図
【図８】本発明の第４実施形態の易開封袋の傷痕群を示す正面図
【発明を実施するための形態】
【００１７】
＜第１実施形態＞
以下、図面を参照して本発明の実施形態を説明する。図１は第１実施形態の易開封袋の正面図を示している。易開封袋１は上端に開口部１ａを有する三方シール袋から成り、食品、薬剤等の包装袋に用いられる。
【００１８】
易開封袋１は積層体３０（図２参照）により形成された２枚のシート２の三方の周縁を周縁シール部１０により熱接着して形成される。対向する左右端の周縁シール部１０の上部には易開封袋１の上端から所定距離下方の所定位置に複数の切込み２５から成る傷痕群２０が設けられる。
【００１９】
図２はシート２を形成する積層体３０の断面図を示している。積層体３０は外面側から順に基材層３１、中間層３２、バリア層３３、熱接着性樹脂層３４を積層して形成される。基材層３１として、２軸延伸ポリプロピレンフイルム、２軸延伸ポリエチレンテレフタレートフイルム、２軸延伸ナイロンフイルム等の２軸延伸フイルムを用いることができる。また、基材層３１として延伸方向を左右方向に配した一軸延伸フィルムを用いてもよい。これにより、左右方向の引き裂き直進性を向上することができる。
【００２０】
中間層３２として、上記の各２軸延伸フイルム等を用いることができる。バリア層３３はガスバリア性を有し、アルミニウム箔等の金属箔を用いることができる。
【００２１】
熱接着性樹脂層３４は熱接着性を有し、２枚のシート２の熱接着性樹脂層３４を熱接着して周縁シール部１０が形成される。熱接着性樹脂層３４として、低密度ポリエチレン、中密度ポリエチレン、線状低密度ポリエチレン、シングルサイト触媒を用いて重合したエチレン−αオレフイン共重合体、エチレン−酢酸ビニル共重合体、ポリプロピレン等の樹脂を用いることができる。
【００２２】
尚、中間層３２を省いてもよい。また、バリア層３３を省いて基材層３１、中間層３２または熱接着性樹脂層３４にガスバリア性を持たせてもよい。上記各層のフィルムに塩化ビニリデン樹脂のコーテイング、アルミニウム等の金属の蒸着、酸化アルミニウムや酸化硅素等の酸化物の蒸着を施してガスバリヤ性を持たせることができる。
【００２３】
図３は傷痕群２０を拡大した正面図を示している。傷痕群２０は左右方向に延びた複数の線状の切込み２５を周縁シール部１０の内縁１０ｂに向かって先細り状に配置して形成される。切込み２５はシート２（図１参照）を周縁シール部１０で熱接着した後に、切刃の突き刺しにより形成され、周縁シール部１０を貫通する。
【００２４】
本実施形態では傷痕群２０が三角形状（Ｖ字状）に形成される。傷痕群２０をＵ字状に形成してもよく、半円形状に形成してもよい。また、傷痕群２０を外縁１０ａの近傍で内縁１０ｂに向かって太くした後に先細り状にしてもよい。
【００２５】
また、傷痕群２０は周縁シール部１０の左右方向に複数段に分割され、外縁１０ａ側から内縁１０ｂ側に向かって順に第１段２１、第２段２２、第３段２３を有している。第１段２１は周縁シール部１０の外縁１０ａ上から延びる複数（本実施形態では４本）の切込み２５を上下に並設される。
【００２６】
第２段２２は第１段２１よりも周縁シール部１０の内縁１０ｂ側に配され、複数（本実施形態では３本）の切込み２５を上下に並設される。第３段２３は第２段２２よりも周縁シール部１０の内縁１０ｂ側に配され、複数（本実施形態では２本）の切込み２５を上下に並設される。各切込み２５の上下方向の間隔は例えば、０．５ｍｍ〜２ｍｍに形成される。
【００２７】
第１段２１の切込み２５と第２段２２の切込み２５とは異なる高さに配され、第２段２２の切込み２５と第３段２３の切込み２５とは異なる高さに配される。この時、第１段２１の切込み２５の内端と第２段２２の切込み２５の外端とが周縁シール部１０の内縁１０ｂに平行な同一直線上に配される。同様に、第２段２２の切込み２５の内端と第３段２３の切込み２５の外端とが周縁シール部１０の内縁１０ｂに平行な同一直線上に配される。
【００２８】
第２段２２の上下方向の幅Ｗ２は第１段２１の上下方向の幅Ｗ１よりも狭く、第３段２３の上下方向の幅Ｗ３は第２段２２の上下方向の幅Ｗ２よりも狭くなっている。これにより、傷痕群２０が先細り状に形成される。
【００２９】
本実施形態では第１段２１、第２段２２、第３段２３の順に切込み２５の本数を少なくし、幅Ｗ１、幅Ｗ２、幅Ｗ３を順に狭くしている。傷痕群２０が先細り状であれば、第１段２１、第２段２２、第３段２３のいずれか２つを同じ本数の切込み２５により形成してもよく、外縁１０ａ側を少ない本数の切込み２５により形成してもよい。
【００３０】
また、第１段２１の切込み２５の長さＬ１は第２段２２の切込み２５の長さＬ２よりも長く形成される。第３段２３の切込み２５の長さＬ３は第２段２２の切込み２５の長さＬ２と同じに形成される。第２段２２の切込み２５の長さＬ２を第３段２３の切込み２５の長さＬ３よりも長く形成してもよい。各切込み２５の長さは例えば、０．４ｍｍ〜２ｍｍに形成される。尚、周縁シール部１０の横幅Ｔは例えば、５ｍｍ〜１０ｍｍに形成される。
【００３１】
上記構成の易開封袋１は上端の開口部１ａから内容物を充填された後に開口部１ａを熱接着して密封される。密封された易開封袋１は傷痕群２０の上方及び下方をそれぞれ摘持して前後の逆方向に力を加えられ、一点鎖線Ｓ（図１参照）で示すように左右方向に引き裂かれて開封される。
【００３２】
この時、周縁シール部１０内で傷痕群２０上の引き裂き強度が弱いため、傷痕群２０を配した所定の位置から易開封袋１を開封することができる。また、傷痕群２０が先細り状のため、引き裂く方向が上下方向にずれた場合に、傷痕群２０により左右方向に案内して易開封袋１を左右方向に引き裂くことができる。
【００３３】
また、傷痕群２０の第１段２１の切込み２５が周縁シール部１０の外縁から延び、第２段２２の切込み２５よりも左右方向に長く形成される。傷痕群２０から離れた位置を摘持して開封を開始した場合等に、前後の逆方向に加えられる力が周縁シール部１０の外縁１０ａ上で分散する。この時、第１段２１の切込み２５が短いと切込み２５の上下で前後逆方向の力が働かず、傷痕群２０が開封開始のきっかけとならない場合がある。このため、第１段２１の切込み２５を長く形成することにより、第１段２１の切込み２５の上下で前後逆方向の力を容易に生じさせることができる。
【００３４】
この時、第１段２１の切込み２５の長さＬ１が第２段２２の切込み２５の長さＬ２よりも左右方向に長く形成すると、後述するように、易開封袋１の開封時の力をより小さくできる。
【００３５】
図４は易開封袋１を搬送する際の梱包体５の斜視図を示している。梱包体５は複数の易開封袋１を積み重ねて帯部材６により束ねられる。帯部材６は両端部を糊付けにより連結した連結部６ａを有し、環状に形成される。連結部６ａを粘着テープやホチキス等により連結してもよい。
【００３６】
連結部６ａは左右に対向する周縁シール部１０の間に配される。これにより、易開封袋１を積み重ねた後に帯部材６を容易に連結部６ａで連結して束ねることができる。また、帯部材６は傷痕群２０に対して上下方向（対向する周縁シール部１０が延びる方向）に離れて配される。これにより、搬送時に帯部材６と傷痕群２０との摺動によって易開封袋１が傷痕群２０上から破袋することを防止できる。
【００３７】
本実施形態によると、複数の線状の切込み２５から成る先細り状の傷痕群２０が、周縁シール部１０の外縁から延びる第１段２１と、第１段２１よりも周縁シール部１０の内縁側に配した第２段２２とを有する。また、第１段２１の切込み２５の左右方向の長さＬ１が第２段２２の切込み２５の左右方向の長さＬ２よりも長い。これにより、易開封袋１を小さい力で容易に開封することができる。
【００３８】
また、傷痕群２０が第２段２２よりも周縁シール部１０の内縁側に配した第３段２３を有するので、傷痕群２０を先細り状に容易に形成することができる。
【００３９】
また、第２段２２の切込み２５の長さＬ２が第３段２３の切込み２５の長さＬ３以上であるので、小さい力で開封できる先細り状の傷痕群２０を容易に実現できる。
【００４０】
また、第１段２１の切込み２５の左右方向の長さＬ１が０．５ｍｍ以上であるので、傷痕群２０が開封開始のきっかけになる易開封袋１を容易に実現できる。
【００４１】
また、第１段２１の切込み２５と第２段２２の切込み２５とが異なる高さに配される。そして、第１段２１の切込み２５の内端と第２段２２の切込み２５の外端とが周縁シール部１０の内縁１０ｂに平行な同一直線上に配される。これにより、引き裂く方向が第１段２１から上下方向にずれた際に、第２段２２に容易に案内することができる。
【００４２】
同様に、第２段２２の切込み２５と第３段２３の切込み２５とが異なる高さに配される。そして、第２段２２の切込み２５の内端と第３段２３の切込み２５の外端とが周縁シール部１０の内縁１０ｂに平行な同一直線上に配される。これにより、引き裂く方向が第２段２２から上下方向にずれた際に、第３段２３に容易に案内することができる。
【００４３】
また、複数の易開封袋１を積み重ねて帯部材６により束ねた梱包体５において、対向する周縁シール部間１０に帯部材６の連結部６ａが配される。このため、連結部６ａの連結により易開封袋１を容易に束ねることができる。また、帯部材６が傷痕群２０に対して上下方向に離れて配されるので、帯部材６と傷痕群２０との摺動による易開封袋１の破袋を防止することができる。
【００４４】
＜第２実施形態＞
次に、図５は第２実施形態の易開封袋１の正面図を示している。また、図６は易開封袋１を形成する積層体３０の断面図を示している。説明の便宜上、前述の図１〜図４に示す第１実施形態と同様の部分には同一の符号を付している。本実施形態は易開封袋１の傷痕群２０と同じ高さに切断線３が設けられる。その他の部分は第１実施形態と同様である。
【００４５】
切断線３は中間層３２を切断して左方の傷痕群２０の近傍から右方の傷痕群２０の近傍まで左右方向に延びる。切断線３は左右端の間を連続して切断してもよく、ミシン目状に切断してもよい。また、切断線３は中間層３２の厚み方向の全体を切断してもよく、中間層３２の厚み方向にハーフカットしてもよい。尚、中間層３２を省いた場合は基材層３１をハーフカットして切断線３を形成してもよい。
【００４６】
本実施形態によると、第１実施形態と同様の効果を得ることができる。また、切断線３を設けたので、易開封袋１をより小さい力で開封することができる。
【００４７】
＜第３実施形態＞
次に、図７は第３実施形態の易開封袋１の傷痕群２０を拡大した正面図を示している。説明の便宜上、前述の図１〜図４に示す第１実施形態と同様の部分には同一の符号を付している。本実施形態は傷痕群２０の各切込み２５の配置が第１実施形態と異なっている。その他の部分は第１実施形態と同様である。
【００４８】
傷痕群２０の第１段２１の切込み２５と第２段２２の切込み２５とは異なる高さに配され、第２段２２の切込み２５と第３段２３の切込み２５とは異なる高さに配される。この時、第１段２１の切込み２５の内端が第２段２２の切込み２５の外端よりも内側に配される。同様に、第２段２２の切込み２５の内端が第３段２３の切込み２５の外端よりも内側に配される。
【００４９】
本実施形態によると、第１実施形態と同様の効果を得ることができる。また、第１段２１の切込み２５と第２段２２の切込み２５とが異なる高さに配される。そして、第１段２１の切込み２５の内端が第２段２２の切込み２５の外端よりも内側に配される。これにより、引き裂く方向が第１段２１から上下方向にずれた際に、より確実に第２段２２に案内することができる。
【００５０】
同様に、第２段２２の切込み２５と第３段２３の切込み２５とが異なる高さに配される。そして、第２段２２の切込み２５の内端が第３段２３の切込み２５の外端よりも内側に配される。これにより、引き裂く方向が第２段２２から上下方向にずれた際に、より確実に第３段２３に案内することができる。
【００５１】
＜第４実施形態＞
次に、図８は第４実施形態の易開封袋１の傷痕群２０を拡大した正面図を示している。説明の便宜上、前述の図１〜図４に示す第１実施形態と同様の部分には同一の符号を付している。本実施形態は傷痕群２０の各切込み２５の配置が第１実施形態と異なっている。その他の部分は第１実施形態と同様である。
【００５２】
傷痕群２０の第１段２１の切込み２５と第２段２２の切込み２５とは同じ高さに配され、第２段２２の切込み２５と第３段２３の切込み２５とは同じ高さに配される。この時、第１段２１の切込み２５の内端と第２段２２の切込み２５の外端との間には所定の隙間２６が形成される。同様に、第２段２２の切込み２５の内端と第３段２３の切込み２５の外端との間には所定の隙間２６が形成される。隙間２６の左右方向の幅は例えば、０．２ｍｍに形成される。
【００５３】
本実施形態によると、第１実施形態と同様の効果を得ることができる。
【００５４】
第１〜第４実施形態において、傷痕群２０が易開封袋１の左右の両端に設けられるが、傷痕群２０を左右の一端のみに設けてもよい。また、傷痕群２０が３段に形成されるが、４段以上に形成してもよい。また、傷痕群２０の最内段（上記各実施形態では第３段２３）の切込み２５を１本にしてもよい。
【００５５】
また、易開封袋１を三方シール袋以外の袋により形成してもよく、一枚のシート２を折曲して隣接する二辺の周縁を周縁シール部１０により熱接着してもよい。また、２枚のシート２の底部に底面を形成する二つ折りのシートを挟んで易開封袋１を形成してもよい。
【００５６】
以下に各実施形態の易開封袋１の評価を行うために形成した実施例について説明する。
【実施例１】
【００５７】
実施例１は第１実施形態の易開封袋１により形成される。積層体３０の基材層３１は厚み１２μｍのポリエチレンテレフタレートから成っている。中間層３２は厚み１５μｍの二軸延伸ナイロン（興人フィルム＆ケミカルズ（株）製、ボニールＱＣ）から成っている。バリア層３３は厚み７μｍのアルミニウム箔から成っている。熱接着性樹脂層３４は厚み６０μｍの無延伸ポリプロピレン（東レフィルム加工（株）製、トレファン（登録商標）ＮＯ ＺＫ９９Ｓ）から成っている。この積層体３０を後述する表１において「Ａ」と表記している。
【００５８】
傷痕群２０の第１段２１の切込み２５は４本であり、切込み２５の左右方向の長さＬ１は１ｍｍに形成される。第２段２２の切込み２５は３本であり、切込み２５の左右方向の長さＬ２は０．７５ｍｍに形成される。第３段２３の切込み２５は２本であり、切込み２５の左右方向の長さＬ３は０．７５ｍｍに形成される。また、周縁シール部１０の横幅Ｔは５ｍｍである。
【実施例２】
【００５９】
実施例２は実施例１と熱接着性樹脂層３４が異なり、その他は実施例１と同一である。積層体３０の熱接着性樹脂層３４は厚み６０μｍの無延伸ポリプロピレン（オカモト（株）製、ＮｅｗＥｘｐ−ｒｔ）から成っている。この積層体３０を後述する表１において「Ｂ」と表記している。実施例２の熱接着性樹脂層３４はエラストマを含有し、実施例１の熱接着性樹脂層３４よりも粘性が大きくなっている。
【実施例３】
【００６０】
実施例３は積層体３０の層構成がバリア層３３を省いた３層構造に形成される。傷痕群２０等の形状は実施例１と同一である。積層体３０の基材層３１は厚み１２μｍのアルミナ蒸着ポリエチレンテレフタレート（大日本印刷（株）製、ＩＢＰＥＴ−ＰＩＲ）から成っている。中間層３２は厚み１５μｍの二軸延伸ナイロン（興人フィルム＆ケミカルズ（株）製、ボニールＱＣ）から成っている。熱接着性樹脂層３４は厚み６０μｍの無延伸ポリプロピレン（東レフィルム加工（株）製、トレファン（登録商標）ＮＯ ＺＫ９９Ｓ）から成っている。この積層体３０を後述する表１において「Ｃ」と表記している。
【実施例４】
【００６１】
実施例４は実施例３と熱接着性樹脂層３４が異なり、その他は実施例３と同一である。積層体３０の熱接着性樹脂層３４は厚み６０μｍの無延伸ポリプロピレン（オカモト（株）製、ＮｅｗＥｘｐ−ｒｔ）から成っている。この積層体３０を後述する表１において「Ｄ」と表記している。
【実施例５】
【００６２】
実施例５は実施例１と傷痕群２０の切込み２５の長さが異なり、その他は実施例１と同一である。傷痕群２０の第１段２１の切込み２５の左右方向の長さＬ１は２ｍｍに形成される。第２段２２の切込み２５の左右方向の長さＬ２は１．８１ｍｍに形成される。第３段２３の切込み２５の左右方向の長さＬ３は０．７５ｍｍに形成される。
【実施例６】
【００６３】
実施例６は実施例２と傷痕群２０の切込み２５の長さが異なり、その他は実施例２と同一である。また、傷痕群２０の切込み２５の長さは実施例５と同一である。
【実施例７】
【００６４】
実施例７は実施例３と傷痕群２０の切込み２５の長さが異なり、その他は実施例３と同一である。また、傷痕群２０の切込み２５の長さは実施例５と同一である。
【実施例８】
【００６５】
実施例８は実施例４と傷痕群２０の切込み２５の長さが異なり、その他は実施例４と同一である。また、傷痕群２０の切込み２５の長さは実施例５と同一である。
【実施例９】
【００６６】
実施例９は実施例１と傷痕群２０の切込み２５の長さが異なり、その他は実施例１と同一である。傷痕群２０の第１段２１の切込み２５の左右方向の長さＬ１は０．５ｍｍに形成される。第２段２２の切込み２５の左右方向の長さＬ２は０．４５ｍｍに形成される。第３段２３の切込み２５の左右方向の長さＬ３は０．４５ｍｍに形成される。
【実施例１０】
【００６７】
実施例１０は実施例２と傷痕群２０の切込み２５の長さが異なり、その他は実施例２と同一である。また、傷痕群２０の切込み２５の長さは実施例９と同一である。
【実施例１１】
【００６８】
実施例１１は実施例３と傷痕群２０の切込み２５の長さが異なり、その他は実施例３と同一である。また、傷痕群２０の切込み２５の長さは実施例９と同一である。
【実施例１２】
【００６９】
実施例１２は実施例４と傷痕群２０の切込み２５の長さが異なり、その他は実施例４と同一である。また、傷痕群２０の切込み２５の長さは実施例９と同一である。
【００７０】
［比較例１］
また、比較のために比較例の易開封袋１を作成した。比較例１は実施例１と傷痕群２０の切込み２５の長さが異なり、その他は実施例１と同一である。傷痕群２０の第１段２１の切込み２５の左右方向の長さＬ１は１ｍｍに形成される。第２段２２の切込み２５の左右方向の長さＬ２は１ｍｍに形成される。第３段２３の切込み２５の左右方向の長さＬ３は１ｍｍに形成される。
【００７１】
［比較例２］
比較例２は実施例２と傷痕群２０の切込み２５の長さが異なり、その他は実施例２と同一である。また、傷痕群２０の切込み２５の長さは比較例１と同一である。
【００７２】
［比較例３］
比較例３は実施例１の傷痕群２０に替えてＩノッチを設けている。その他は実施例１と同一である。Ｉノッチの左右方向の長さは２ｍｍに形成される。
【００７３】
［比較例４］
比較例４は実施例２の傷痕群２０に替えてＩノッチを設けている。その他は実施例２と同一である。Ｉノッチの左右方向の長さは２ｍｍに形成される。
【００７４】
［比較例５］
比較例５は実施例１の傷痕群２０に替えてＶノッチを設けている。その他は実施例１と同一である。Ｖノッチの左右方向の長さは２ｍｍに形成される。
【００７５】
上記の各実施例及び各比較例の易開封袋１について、開封性、視認性、破袋性の評価を行った結果を表１に示す。
【００７６】
【表１】
2018087028.tif 000003
【００７７】
開封性は複数の試験官による官能試験により開封時の引き裂く力の強さを５段階で評価し、引き裂く力の強さが小さい場合を５とした。視認性は複数の試験官による官能試験により傷痕群２０が視認しやすいか否かを５段階で評価し、最も視認しやすい場合を５とした。破袋性は所定数の易開封袋１に所定の振動を加えて傷痕群２０から破袋するか否かを５段階で評価し、全く破袋しない場合を５とした。
【００７８】
表１によると、実施例１〜実施例１２の傷痕群２０は比較例３、４のＩノッチに比して視認性が高く、高齢者等でも容易に視認することができる。また、実施例１〜実施例１２は比較例１、２、４、５よりも開封時の引き裂き力が小さく、開封性がよい結果が得られた。特に、各実施例と比較例１、２とを比較すると、傷痕群２０の第１段２１の長さＬ１を第２段２２の長さＬ２よりも長くすることにより、開封時の引き裂き力を小さくできる。
【００７９】
また、第２段２２の長さＬ２を第３段２３の長さＬ３よりも長くした場合（実施例５〜８）、同じにした場合（実施例１〜４、９〜１２）のいずれも開封時の引き裂き力を小さくできる。
【産業上の利用可能性】
【００８０】
本発明によると、食品、薬剤等の包装袋に利用することができる。
【符号の説明】
【００８１】
１      易開封袋
２      シート
３      切断線
５      梱包体
６      帯部材
６ａ    連結部
１０      周縁シール部
１０ａ    外縁
１０ｂ    内縁
２０      傷痕群
２１      第１段
２２      第２段
２３      第３段
２５      切込み
２６      隙間
３０      積層体
３１      基材層
３２      中間層
３３      バリア層
３４      熱接着性樹脂層
【図１】
2018087028.tif 000004
【図２】
2018087028.tif 000005
【図３】
2018087028.tif 000006
【図４】
2018087028.tif 000007
【図５】
2018087028.tif 000008
【図６】
2018087028.tif 000009
【図７】
2018087028.tif 000010
【図８】
2018087028.tif 000011